【手続補正書】
【提出日】平成24年11月20日(2012.11.20)
【手続補正１】
【補正対象書類名】明細書
【補正対象項目名】発明の名称
【補正方法】変更
【補正の内容】
【発明の名称】透液性シート
【手続補正２】
【補正対象書類名】明細書
【補正対象項目名】０００１
【補正方法】変更
【補正の内容】
【０００１】
この発明は、使い捨てのおむつや生理用ナプキン等の体液吸収性着用物品の表面シートとして使用するのに好適な透液性シートに関する。
【手続補正３】
【補正対象書類名】明細書
【補正対象項目名】０００９
【補正方法】変更
【補正の内容】
【０００９】
前記課題を解決するためにこの発明が対象とするのは、互いに直交する縦方向と横方向と厚さ方向とを有し、熱可塑性合成繊維の不織布で形成され、前記厚さ方向に交差して前記縦方向と前記横方向とに広がる両表面のうちの一方の面に、前記縦方向へ延びる山部と谷部とが前記横方向において起伏を繰り返すように交互に並び、前記一方の面の反対面が平坦に形成されている透液性シートである。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
かかる透液性シートにおいて、この発明が特徴とするところは、以下のとおりである。すなわち、前記一方の面には、前記不織布を前記一方の面から前記反対面へ向かう方向へ局部的に圧搾することによって形成されたドット状の圧搾部が少なくとも前記山部に含まれている。前記圧搾部では、前記不織布における前記熱可塑性合成繊維が繊維としての形態を保った状態で前記圧搾部の周辺域における前記熱可塑性合成繊維よりも密に集合している。複数の前記圧搾部は、前記山部と前記谷部とに斜めに交差する方向へ並ぶことによって列を形成し、前記列には、互いに並行して前記斜めに交差する方向へ延びる複数条の第１列と、複数条の前記第１列と交差するとともに互いに並行して前記斜めに交差する方向へ延びる複数条の第２列とが含まれている。隣り合う二条の前記第１列と、隣り合う二条の前記第２列とは交差して、前記一方の面には前記第１列と前記第２列とによって囲まれた肌接触域が形成され、前記肌接触域には、少なくとも一条の前記山部とが含まれ、前記少なくとも一条の前記山部における前記縦方向の両端部それぞれには前記圧搾部が含まれている。
【手続補正６】
【補正対象書類名】明細書
【補正対象項目名】００１２
【補正方法】変更
【補正の内容】
【００１２】
この発明の実施態様の一つにおいて、前記圧搾部が前記山部の頂上部分に含まれている。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
この発明の実施態様の他の一つにおいて、前記肌接触域は、前記縦方向の寸法が前記横方向の寸法よりも大きい。
【手続補正１０】
【補正対象書類名】明細書
【補正対象項目名】００１６
【補正方法】変更
【補正の内容】
【００１６】
この発明の実施態様の他の一つにおいて、前記不織布における前記熱可塑性合成繊維が１〜４ｄｔｅｘの繊度と、３０〜６０ｍｍの繊維長とを有するステープルであって、１０〜５０ｇ／ｍ２の単位面積当たり質量を有している。
【手続補正１１】
【補正対象書類名】明細書
【補正対象項目名】００１７
【補正方法】変更
【補正の内容】
【００１７】
この発明の実施態様の他の一つにおいて、前記透液性シートの前記反対面には、熱可塑性合成繊維で形成された透液性の繊維層がホットメルト接着剤を介して接合し、前記繊維層には前記厚さ方向において前記圧搾部の位置に一致する第２の圧搾部が形成されていて、前記第２の圧搾部では前記繊維層の前記熱可塑性合成繊維のそれぞれが繊維形態を保った状態で前記第２の圧搾部の周辺域における前記熱可塑性合成繊維よりも密に集合している。
【手続補正１２】
【補正対象書類名】明細書
【補正対象項目名】００１８
【補正方法】変更
【補正の内容】
【００１８】
この発明の実施態様の一つにおいて、前記繊維層を形成している前記熱可塑性合成繊維が１〜４ｄｔｅｘの繊度を有するステープルおよびフィラメントのいずれかを含み、１０〜５０ｇ／ｍ２の単位面積当たり質量を有している。
【手続補正１３】
【補正対象書類名】明細書
【補正対象項目名】００１９
【補正方法】変更
【補正の内容】
【００１９】
この発明の実施態様の他の一つにおいて、前記透液性シートは、人工尿拭き取り試験における人工尿拭き取り後のＱ−ｍａｘ値が０．１０ｋｗ／ｍ２を越えることのないものである。
【手続補正１４】
【補正対象書類名】明細書
【補正対象項目名】００２０
【補正方法】変更
【補正の内容】
【００２０】
この発明の実施態様のさらに他の一つにおいて、前記透液性シートが月齢６ヶ月未満のベビーを対象とする使い捨ておむつの表面シートとして使用されているものである。
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】変更
【補正の内容】
【００２７】
この発明に係る透液性シートは、肌接触域が縦方向へ延びる少なくとも一条の山部を含み、山部の両端部それぞれには圧搾部が形成されていて、その圧搾部では、透液性シートを形成している不織布に含まれた熱可塑性合成繊維がその繊維としての形態を保った状態で圧搾部の周辺域におけるよりも密に集合しているから、山部に吸収された体液は、縦方向へ拡散しても、圧搾部に集まって、さらに縦方向へ拡散するということがない。
【手続補正２２】
【補正対象書類名】明細書
【補正対象項目名】００２８
【補正方法】削除
【補正の内容】
【手続補正２３】
【補正対象書類名】明細書
【補正対象項目名】００３９
【補正方法】変更
【補正の内容】
【００３９】
図４，５，６は、図１において仮想線で囲まれている部分ＩＶの拡大図と、図４のＶ−Ｖ線切断面と、図４のＶＩ−ＶＩ線切断面とを示す図である。図４において、表面シート１１の上面５８には複数の圧搾部７０が形成されている。圧搾部７０は、表面シート１１が上面５８から下面５７に向かって圧搾されている部位であって、図中の一点鎖線１５ａ上にあって右上がりの列を複数条形成する圧搾部７０ａと、一点鎖線１５ｂ上にあって左上がりの列を複数条形成する圧搾部７０ｂとを含んでいる。圧搾部７０ａの中央部を通る一点鎖線１５ａは、一点鎖線１５ｂと斜めに交差するとともに、山部６１と谷部６２とにも斜めに交差している。一点鎖線１５ａと一点鎖線１５ｂとの交差角度のうちで縦方向Ａに開いている交角αは幅方向Ｂに開いている交角βと等しいかまたは交角βよりも大きく、好ましくは９０〜１５０°の範囲にある。圧搾部７０は、山部６１にも谷部６２にも形成されるものであるが、好ましい山部６１では、その頂上部分６１ａ（図６，７参照）にも圧搾部７０ａおよび／または圧搾部７０ｂが形成されている。図示例では、一点鎖線１５ａと一点鎖線１５ｂとが頂上部分６１ａにおいて交差しており、その頂上部分６１ａでは圧搾部７０ａと７０ｂとが重なり合った状態にある。表面シート１１において、隣り合う二条の一点鎖線１５ａと隣り合う二条の一点鎖線１５ｂとに囲まれている部分のそれぞれは平行四辺形であって、表面シート１１における肌接触域７５を形成している。好ましい肌接触域７５は、少なくとも一条の山部６１を含むことによって着用者の肌に接触可能である。圧搾部７０ａ，７０ｂは、円形や長円形、矩形、菱形等の適宜の平面形状になり得るが、その面積は０．２〜９ｍｍ２程度であることが好ましい。圧搾部７０ａどうしの中心間距離と圧搾部７０ｂどうしの中心間距離とは、山部６１どうしの頂上部分間の距離を越えることがないようにして、山部６１の頂上部分６１ａに圧搾部７０ａおよび／または圧搾部７０ｂを形成することが好ましい。また、隣接する一点鎖線１５ａどうしの離間寸法７６ａと、隣接する一点鎖線１５ｂどうしの離間寸法７６ｂとは、肌接触域７５の内側に山部６１が少なくとも一条存在する寸法に調整することが好ましい。
【手続補正２４】
【補正対象書類名】明細書
【補正対象項目名】００４３
【補正方法】変更
【補正の内容】
【００４３】
図６は、図４の縦方向Ａへ延びるＶＩ−ＶＩ線切断面によって表面シート１１における山部６１の斜面の切断面形状を例示しているが、芯材１３の図示は省略されている。肌接触域７５ａにおける山部６１は、肌接触域７５ａにおける縦方向Ａの両端部に圧搾部７０ａと圧搾部７０ｂとが形成されている。肌接触域７５ａの縦方向Ａにはまた、肌接触域７５ｃと肌接触域７５ｄとが形成され、それぞれの肌接触域７５ｃ，７５ｄには高さの低い山部６１ｅ，６１ｆが含まれている（図４を併せて参照）。図６の圧搾部７０ａ，７０ｂにおいても、ステープル１２１は、圧搾部７０ａ，７０ｂの周辺域におけるステープル１１２よりも密に集合している。それゆえ、山部６１や山部６１ｅ，６１ｆに吸収されて縦方向Ａへ拡散する体液は、それらの圧搾部７０ａ，７０ｂに集まり、そこから芯材１３に吸収されるということが可能になる。
【手続補正２５】
【補正対象書類名】明細書
【補正対象項目名】００５１
【補正方法】変更
【補正の内容】
【００５１】
スムージング処理を施された輪郭線からは、以下の手順によって各種の寸法を求める。図９を参照してその手順を説明すると次のとおりである。なお、図9にはスムージング処理を施された輪郭線が示されている。
１．輪郭線において、隣り合う山部１６１どうしの頂上部分１６１ａを結ぶ補助線ｋを引く。
２．水平面ＳＦに平行な第１水平線ｈ１を引く。
３．頂上部分１６１ａを通り第１水平線ｈ１に直交する補助線ｂ，ｃを引く。
４．谷部１６２の谷底部分１６２ａを通り第１水平線ｈ１に直交する補助線ｄを引く。
５．補助線ｋと補助線ｄとの交点をＸ２とする。
６．補助線ｄについて、谷底部分１６２ａから交点Ｘ２までの距離の１／３に相当する点ｅを求める。谷底部分から点ｅまでの距離をＸ１とする。
７．点ｅを通り第１水平線ｈ１に平行な第２水平線ｈ２を引き、第２水平線ｈ２と互いに隣り合う山部１６１の輪郭線との交点ｍ，ｎを求め、点ｍと点ｎとの間の距離を谷部１６２の幅とする。
８．補助線ｃと補助線ｄとの間の距離を頂点部分１６１ａ間の距離または山部１６１のピッチとする。
９．頂点部分１６１ａ間の距離と、谷部１６２の幅との差を山部１６１の幅とする。
１０．補助線ｂ，ｃについて、水平面ＳＦら頂点部分１６１ａまでの距離、すなわち寸法Ｈを無荷重下の山部の高さ、またはシート片１１１と表面シート１１とについての無荷重下の厚さとする。
１１．補助線ｄにおける谷底部分１６２ａから水平面ＳＦまでの距離は、試片についての寸法ｆとする。
１２．試片が図８におけるシート片１１１の平坦部１１４を含む場合には、平端部１１４についても上記手順を応用することによって平端部１１４における寸法ｔを求めることができる。
１３．シート片１１１および表面シート１１の各寸法は、１枚の試片について１回測定し、１０枚の試片を使用した１０回の測定結果を平均した値とする。
【手続補正２６】
【補正対象書類名】明細書
【補正対象項目名】００６１
【補正方法】変更
【補正の内容】
【００６１】
加工機１５０ではまた、上ロール１５１の周面が連続体１３１の表面を押圧する程度にまで突起１５３を短くしておくことも可能で、そのような上ロール１５１では、突起１５３を所要の加熱温度に維持することが容易ある他に、上ロール１５１の周面が連続体１３１を押圧することによって、連続体１３１の厚さを薄くすることもできる。ただし、加工機１５０によって連続体１３１の厚さを薄くすることは、連続体１３１の肌触りの柔軟性を失わせてクッションとしての効果の乏しいものにすることがある。それゆえ、表面シート１１の中央部位６０ａ（図２参照）の厚さは、図１０における第１の不織布１３０ａの厚さの６０％以上であることが好ましい。そのような表面シート１１は、その肌触りが後記「肌触りの柔軟性」の項で使用される標準シート片の肌触りよりも柔らかいというものである。なお、図１２において、連続体１３１は装置１５０を通過する前後においてその表面形状や側面形状が変化するのであるが、図面が煩雑なものになることを避けるために、連続体１３１についての形状変化の図示は省略してある。
【手続補正２７】
【補正対象書類名】特許請求の範囲
【補正対象項目名】全文
【補正方法】変更
【補正の内容】
【特許請求の範囲】
【請求項１】
互いに直交する縦方向と横方向と厚さ方向とを有し、熱可塑性合成繊維の不織布で形成され、前記厚さ方向に交差して前記縦方向と前記横方向とに広がる両表面のうちの一方の面に、前記縦方向へ延びる山部と谷部とが前記横方向において起伏を繰り返すように交互に並び、前記一方の面の反対面が平坦に形成されている透液性シートであって、
前記一方の面には、前記不織布を前記一方の面から前記反対面へ向かう方向へ局部的に圧搾することによって形成されたドット状の圧搾部が少なくとも前記山部に含まれており、
前記圧搾部では、前記不織布における前記熱可塑性合成繊維が繊維としての形態を保った状態で前記圧搾部の周辺域における前記熱可塑性合成繊維よりも密に集合し、
複数の前記圧搾部が前記山部と前記谷部とに斜めに交差する方向へ並ぶことによって列を形成し、前記列には、互いに並行して前記斜めに交差する方向へ延びる複数条の第１列と、複数条の前記第１列と交差するとともに互いに並行して前記斜めに交差する方向へ延びる複数条の第２列とが含まれ、
隣り合う二条の前記第１列と、隣り合う二条の前記第２列とが交差して、前記一方の面には前記第１列と前記第２列とによって囲まれた肌接触域が形成され、前記肌接触域には、少なくとも一条の前記山部とが含まれ、前記少なくとも一条の前記山部における前記縦方向の両端部それぞれには前記圧搾部が含まれていることを特徴とする前記透液性シート。
【請求項２】
前記圧搾部が前記山部の頂上部分に含まれている請求項１記載の透液性シート。
【請求項３】
前記肌接触域は、前記縦方向の寸法が前記横方向の寸法よりも大きい請求項１または２記載の透液性シート。
【請求項４】
前記不織布における前記熱可塑性合成繊維が１〜４ｄｔｅｘの繊度と、３０〜６０ｍｍの繊維長とを有するステープルであって、１０〜５０ｇ／ｍ２の単位面積当たり質量を有している請求項１〜３のいずれかに記載の透液性シート。
【請求項５】
前記透液性シートの前記反対面には、熱可塑性合成繊維で形成された透液性の繊維層がホットメルト接着剤を介して接合し、前記繊維層には前記厚さ方向において前記圧搾部の位置に一致する第２の圧搾部が形成されていて、前記第２の圧搾部では前記繊維層の前記熱可塑性合成繊維がそれぞれの繊維形態を保った状態で前記第２の圧搾部の周辺域における前記熱可塑性合成繊維よりも密に集合している請求項１〜４のいずれかに記載の透液性シート。
【請求項６】
前記繊維層を形成している前記熱可塑性合成繊維が１〜４ｄｔｅｘの繊度を有するステープルおよびフィラメントのいずれかを含み、１０〜５０ｇ／ｍ２の単位面積当たり質量を有している請求項５記載の透液性シート。
【請求項７】
前記透液性シートは、人工尿拭き取り試験における人工尿拭き取り後のＱ−ｍａｘ値が０．１０ｋｗ／ｍ２を越えることのないものである請求項１〜６のいずれかに記載の透液性シート。
【請求項８】
前記透液性シートが月齢６ヶ月未満のベビーを対象とする使い捨ておむつの表面シートとして使用されているものである請求項１〜７のいずれかに記載の透液性シート。